(57)【要約】【課題】リーダー部と複数のプリンター部を有するマルチプリンターシステムにおける出力品質の向上を目的とする。特に、接続された各プリンター部で用紙に形成される画像位置を統一させる。【解決手段】複数のプリンターによりプリントされた特定のパターン画像を画像読み取り手段から読み取らせることにより、各プリンターごとの画像位置に関する補正データを作成しプリンターへの画像転送時に前記補正データから各プリンターごとに画像位置補正を行い画像転送して各プリンターの画像位置を均一化させるようにした。【選択図】　　　　図１
2004012694.tif 000002
【特許請求の範囲】
【請求項１】
原稿画像を読み取る画像読み取り手段、
特定のパターン画像を作成する手段、
読み取られた画像、あるいは作成されたパターン画像をプリンターに転送する手段、
転送された画像をプリント可能な複数のプリンターからなる画像形成システムであって、
複数のプリンターによりプリントされた特定のパターン画像を、画像読み取り手段から読み取らせることにより、各プリンターごとの画像位置に関する補正データを作成し、プリンタへの画像転送時に、前記補正データから各プリンターごとに画像位置補正を行い、画像転送し、各プリンターの画像位置を均一化させるようにしたことを特徴とする画像形成システム。
【発明の詳細な説明】
【０００１】
【発明の属する技術分野】
本発明は、例えばデジタル複写機等の画像形成装置に関するもので、特に複数の画像形成装置を接続し、単位時間あたりの出力の高速化を図った画像形成装置とそのシステムに関するものである。
【０００２】
【従来の技術】
近年、複写機のデジタル化、高速化に伴い、複数のデジタル複写機を連結して、１つのデジタル複写機のリーダ部から読み取った画像、コンピュータからの画像データを、接続された複数のプリンター部に転送し、プリントして、単位時間当たりのプリント枚数を増加させるシステムが提唱されている。
【０００３】
【発明が解決しようとする課題】
しかしながら、上記従来の構成の連結システムでは、複数のプリンター部でプリントするという単位時間あたりのプリント枚数を増加させることに重点がおかれている。
【０００４】
そのため、各プリンターごとのコンディション等による出力画像の違いというものに関しては、ほとんど考慮されていなかった。
【０００５】
しかし、多くのプリンターを接続し、同じ画像を複数のプリンターにてプリントするような場合においては、各プリンターの使用頻度、微妙な装置の個体差等を制御することが重要である。
【０００６】
本発明は、上述の課題に鑑みてなされたもので、複数のプリンターが接続されたシステムにおける、出力画像の品質を高めることを目的とする。
【０００７】
【課題を解決する為の手段】
上述の目的を達成するために、本発明は原稿画像を読み取る画像読み取り手段、特定のパターン画像を作成する手段、読み取られた画像、あるいは作成されたパターン画像をプリンターに転送する手段、転送された画像をプリント可能な複数のプリンターからなる画像形成システムであって、複数のプリンターによりプリントされた特定のパターン画像を、画像読み取り手段から読み取らせることにより、各プリンターごとの画像位置に関する補正データを作成し、プリンタへの画像転送時に、前記補正データから各プリンターごとに画像位置補正を行い、画像転送し、各プリンターの画像位置を均一化させるようにしたことを特徴とする。
【０００８】
（作用）
以上の構成において、構成されたシステムにおけるプリント性能を、最大限に生かすことができる。
【０００９】
【発明の実施の形態】
以下、添付図面を参照して、本発明に係る好適な実施形態を詳細に説明する。
【００１０】
図１は本実施形態によって構成したシステムの一例を示した図である。
【００１１】
同図において１００７は本システムを統括し制御するサーバー、１００１は原稿画像を読み取るリーダー部、１０００は画像データを受け取りプリントするプリンター部、１００２は画像形成されたプリント用紙を排紙、ソートするソーターである。同様に１００３，１００５はプリンター部、１００４，１００６はソーターを示す。このように、本システムは１つのサーバー、１つのリーダー部、３つのプリンター部、ソーターから構成されている。
【００１２】
サーバー１００７，リーダー部１００１とプリンター部１０００、１００３，１００５はビデオインターフェースにより接続されており、画像データはもちろん、コマンドの送受信を行っている。
【００１３】
＜サーバーの構成＞
図２は図１で示したサーバー１００７の具体的な構成を示したものである。
【００１４】
各ブロックはシステムバスにより接続されており、ＣＰＵはＲＯＭやＲＡＭに格納されたプログラムに応じて、プログラムの実行や各種演算処理を行い、本装置全体を制御する。
【００１５】
ハードディスクコントローラには、ハードディスクが接続されている。ハードディスクは大容量の記憶装置でありＯＳやアプリケーションプログラム、リーダーより読み込まれた画像、ネットワーク等から転送された画像の記憶に用いられる。
【００１６】
ビデオグラフィックコントローラはＣＰＵによってビデオラムに書かれた内容をビデオグラフィックコントローラに接続されたＣＲＴディスプレイに表示する。
【００１７】
また、外部のネットワークとの接続はネットワークｌ／Ｆを介して、キーボードはキーボードコントローラを介して、マウスはＡｕｘｉｌｉａｒｙ　ｄｅｖｉｃｅ　ｃｏｎｔｒｏｌｌｅｒを介して接続される。
【００１８】
さらに、本システムのリーダー部、プリンター部とはＶｉｄｅｏ　ｌ／Ｆ　Ｃｏｎｔｒｏｌｌｅｒを介して、画像の送受信及び通信が行われる。また、ＲＡＭは画像データを保持することが可能で、Ｖｉｄｅｏ　ｌ／Ｆとハードディスク間の画像のバッファとして使用したり、ＣＰＵが任意の画像をＲＡＭ上に形成することができる。
【００１９】
＜リーダー部、プリンター部の構成＞
図３は図１で示したリーダー部１００１及びプリンター部１０００の構成を具体的に示したものである。
【００２０】
同図において、原稿台ガラス１０１には、原稿自動送り装置１４２から給送された原稿が順次、所定位置に載置されるようになっている。
【００２１】
また、この原稿台ガラス１０１に載置された原稿は、例えばハロゲンランプから構成される原稿照明ランプ１０２により露光される。
【００２２】
１０３、１０４、１０５は走査ミラーであり、図示しない光学走査ユニットに収容され、往復動しながら、原稿からの反射光をＣＣＤユニット１０６に導く。ＣＣＤユニット１０６はＣＣＤに原稿からの反射光を結像させる結像レンズ１０７、例えばＣＣＤから構成される撮像素子１０８、撮像素子１０８を駆動するＣＣＤドライバ１０９等から構成されている。撮像素子１０８からの画像信号出力は例えば８ビットのデジタルデータに変換された後、コントローラ部１３９に入力され、各種画像処理が行われる。
【００２３】
また、１１０は感光ドラムであり、１１２の前露光ランプによって画像形成に備えて除電される。１１３は１次帯電器であり、感光ドラム１１０を一様に帯電させる。１１７は露光手段であり、例えば半導体レーザー等で構成され、画像処理や装置全体の制御を行うコントローラ部１３９で処理された画像データに基づいて感光ドラム１１０を露光し、静電潜像を形成する。１１８は現像器であり、黒色の現像剤（トナー）が収容されている。１１９は転写前帯電器であり、感光ドラム１１０上に現像されたトナー像を用紙に転写する前に高圧をかける。１２０、１２２、１２４は給紙ユニットであり、各給紙ローラ１２１、１２３、１２５の駆動により、転写用紙が装置内へ絵送され、レジストローラ１２６の配設位置で一旦停止し、感光ドラム１１０に形成された画像との書き出しタイミングがとられ再給送される。１２７は転写帯電器であり、感光ドラム１１０に現像されたトナー像を給送される転写用紙に転写する。１２８は分離帯電器であり、転写動作の終了した転写用紙を感光ドラム１１０より分離する。転写されずに感光ドラム１１０上に残ったトナーはクリーナー１１１によって回収される。１２９は搬送ベルトで、転写プロセスの終了した転写用紙を定着器１３０に搬送し、例えば熟により定着される。１３１はフラッパであり、定着プロセスの終了した転写用紙の搬送パスを、ステイプルソーター１３２または中間トレイ１３７の配置方向のいずれかに制御する。ステイプルソーター１３２に排紙された用紙は各ビンに仕分けされ、コントローラ部１３９からの指示により１４１のステイプル部１４１がステイプルを行う。また、ステイプルソーター１３２の代りに製本装置（グルーバインダー）１４５が装着されている場合はコントローラ部１３９からの指示により１４３のバインダー部で予め糊のついた背表紙と紙束を糊づけし、スタッカー１４４に製本後の紙束を貯える。また、１３３〜１３６は給送ローラであり、一度定着プロセスの終了した転写用紙を中間トレイ１３７に反転（多重）または非反転（両面）して絵送する。１３８は再給送ローラであり、中間トレイ１３７に載置された転写用紙を再度、レジストローラ１２６の配設位置まで搬送する。
【００２４】
１３９のコントローラ部には後述するマイクロコンピュータ、画像処理部等を備えており、操作パネル１４０からの指示に従って、前述の画像形成動作を行う。
【００２５】
くコントローラ部の構成＞
図４は画像形成装置におけるコントローラ部１３９の構成を示したブロック図である。
【００２６】
２０１は画像処理装置全体の制御を行うＣＰＵであり、装置本体の制御手順（制御プログラム）を記憶した読み取り専用メモリ２０３（ＲＯＭ）からプログラムを順次読み取り、実行する。ＣＰＵ２０１のアドレスバスおよびデータバスは２０２のバスドライバー回路、アドレスデコーダ回路をへて各負荷に接続されている。また、２０４は入力データの記憶や作業用記憶領域等として用いる主記憶装置であるところのランダムアクセスメモリ（ＲＡＭ）である。２０５はＩ／Ｏインターフェースであり、操作者がキー入力を行い、装置の状態等を液晶、ＬＥＤを用いて表示する１４０の操作パネルや給紙系、搬送系、光学系の駆動を行うモーター類２０７、クラッチ類２０８、ソレノイド類２０９、また、搬送される用紙を検知するための紙検知センサ類２１０等の装置の各負荷に接続される。現像器１１８には現像器内のトナー量を検知する２１１のトナー残検センサが配置されており、その出力信号がＩ／Ｏポート２０５に入力される。２１５は高圧ユニットであり、ＣＰＵの指示に従って、前述の１次帯電器１１３、現像器１１８、転写前帯電器１１９、転写帯電器１２７、分離帯電器１２８へ高圧を出力する。
【００２７】
２０６は画像処理部であり、リーダー画像処理部とプリンター画像処理部から構成される。ＣＣＤユニット１０６から出力された画像信号が入力され、後述する画像処理を行い、画像データに従って１１７のレーザーユニットの制御信号を出力する。レーザーユニット１１７から出力されるレーザー光は感光ドラム１１０を照射し、集光するとともに非画像領域において受光センサであるところの２１３のビーム検知センサによって発光状態が検知され、その出力信号がＩ／Ｏポート２０５に入力される。
【００２８】
＜プリンターの構成＞
図５は、図１で示したプリンター１００３、１００５の構成を示したブロック図である。
【００２９】
図３で示したブロックとほぼ同様の構成であり、リーダー部がないためプリンター部のみで構成されている。また、それに応じて、コントローラ部１５０の構成が一部変更されている。
【００３０】
図６はプリンター１００３、１００５のコントローラ部１５０の構成を示したものである。図４で示したコントローラ部と構成がことなるのは画像処理部２１６の構成がプリンター部用のみとなったこと、操作パネル、ＣＣＤ等のリーダー制御部が削除されたことだけである。
【００３１】
＜コントローラ部の画像処理構成＞
図７は本発明の画像形成装置におけるコントローラ部１３９内の画像処理部２０６の構成を示したブロック図である。
【００３２】
ＣＣＤ１０８により電気信号に変換された画像信号は、Ａ／Ｄコンバータ３００でアナログデータをデジタルデータに変換する。つぎに、シェーディング回路３０１によって画素間のばらつきの補正を行った後、３０２の変倍回路において、縮小コピー時はデータの間引き処理を行い、拡大コピー時はデータの補間を行う。次に、３０３のエッジ強調回路において、例えば５×５のウインドウで２次微分を行い、画像のエッジを強調する。
【００３３】
次に出力された画像データはメモリコントローラ３０６を介して、画像メモリ３０７に格納される。画像メモリはＤＲＡＭ、ハードディスク等のメモリから構成されており、複数ページの画像を格納することができる。また、メモリコントローラ３０６は画像メモリ３０７を制御し、ＣＣＤからの画像データを受け取り、画像メモリ３０７に格納するとともに、画像メモリ３０８から画像を読み出し、ビデオインターフェースコントローラ３０８へ画像を転送したり、プリンター部への画像転送したりする。これらを行うために制御は、メモリに対して高速でアクセスし、また、各インターフェース部には、メモリが配置され、すべての外部からのアクセスが重なっても待たされないように制御される。
【００３４】
このようにして、画像メモリ３０７にいったん格納された画像データはビデオインターフェースコントローラ３０８を介してビデオインターフェースへ出力する。
【００３５】
ビデオインターフェースを介して他のプリンター部へ接続される。
【００３６】
また、メモリコントローラ３０６の出力は輝度濃度変換部３０４に入力される。この画像データは輝度データであるのでプリンターに出力するための濃度データに変換するため輝度濃度変換部３０４のγ変換回路でテーブルサーチによりデータ変換を行う。濃度データに変換された画像データはレーザーの発光強度の信号に変換するためＰＷＭ回路へ入力され、画像の濃度に応じたパルス幅をレーザーユニットに対して出力する。
【００３７】
＜プリンター部の画像処理構成＞
図８はプリンター部１００３、１００５の画像処理ブロックの構成を示したものである。図６で示したブロックと同様に、画像処理部２０６のメモリコントローラ３０６は画像メモリ３０６を管理し、ビデオインターフェースコントローラ３０８を介してリーダーから入力される画像をいったん画像メモリ３０７に格納し、プリンターからのプリントジョブの要求に応じて画像を適時出力する。画像メモリ３０７には画像データは輝度データとして格納されるので、輝度濃度変換部３０４にて濃度データに変換され、レーザ等により用紙に画像が形成される。
【００３８】
＜プリントシーケンス＞
このような構成の画像形成装置におけるプリントシーケンスを以下に、フローチャートを用いて説明する。
【００３９】
ステップ５０〜６５からなるリーダー部におけるシーケンスを示す。
【００４０】
本実施形態ではサーバーに対して１台のリーダー、３台のプリンターが接続されている。実行される複写ジョブの実行レベルと、画像の転送の決定方法を示す。ジョブのレベルはレベル１が一番低く、数値が高くなるほど高くなり、レベル３が最も高いことを示す。
【００４１】
図示しない操作部により、操作者がコピーモード、枚数をセットし、スタートキーを押すとリーダー部は原稿を読み込み始める（５１）。次に、読み込まれた原稿枚数と、操作部にセットされたプリント数からトータルのプリント数を算出する。ここで、以下のようにレベルを決める（５２）
トータルのプリント数
２００１枚以上
１００１枚以上２０００枚以下…レベル３
１０１枚以上１０００枚以下…レベル２
１００枚以下…レベル１
次に、操作部において操作者がレベルを設定できるようになっており、その設定に応じてレベルを変更する（５３）。
【００４２】
図示しない操作部において、「オート」、「高く」、「低く」の３モードから選択するようになっている。「オート」はステップ５２により決定されたレベルに従う自動モードを示し、「高く」はステップ５２により決定されたレベルより１つ高くすることを示す。レベル２が入力されると、レベル３に変更される。ただし、レベル４が一番高いためステップ５２においてレベル４が判定されている場合には変化しない。
【００４３】
次にステップ５４は「全台数稼働モードが設定されているか」によってレベルを変更する。これは、図示しない操作部により、１つのジョブに対して全台数を稼働させるか否かを設定できるモードである。すなわち、１つのプリントジョブに対して全台数を稼働させていると、後から１枚だけのプリントジョブを行う場合であっても、全台数使用中であるために、実行されているプリントジョブが終了するまで待たなくてはならない。そのため設定されたモードによりジョブのレベルを変更するものである。したがって、全台数稼働モードでは、前までのステップにより決定されたジョブのレベルを変更しない。しかし全台数稼働モードでないときには、トータルのプリント数からレベル４のジョブであると判定されていても、それを１つ下げて、レベル３のジョブに変更する。このように、１つのジョブに対して全台数を動作させないようにしている。
【００４４】
次に、ステップ５５において接続されたプリンター１１〜１４の稼働状況を把握する。判定されたレベル数分だけの、使用可能なプリンターが確保できるまで待つ。すなわち、レベル１のときには使用可能なプリンターが１台確保できるまで、レベル４のときには４台のプリンターが使用可能になるまでである。このようにして、使用可能なプリンターを決定する（５７）。
【００４５】
ステップ５８では操作者が操作部で設定したコピーモードがソートモードであるか、グループモードであるかの判断を行う。ソートモードはたとえば、１０ページの原稿に対して、コピー出力を１ページから１０ページまでの束にして。指定部数の出力を行うものであり、グループモードは１ページを指定枚数出力し、次に２ページ目を指定枚数出力していくといものである。
【００４６】
したがって、ソートモードであるときには、指定された出力部数を決定されたレベルにより分割する。余りが出た場合には、プリンター１１から１４までの順序で使用するプリンターに加える。（５９）たとえば、１００ページの原稿を２０部、レベル３で出力する場合で、プリンターが１１から１３であるとすると、プリンター１１と１２が７部づつ、プリンター１３が６部プリントを行う。
【００４７】
一方、グループモードが選択された場合には、ページ数をレベルにより分割する。ページはプリンター１１から１４の順序でとし、割り切れない場合のあまりのページはプリンター１４から１１の順序で加える。たとえば１００ページの原稿をそれぞれ２０部、レベル３で出力する場合で、プリンターが１１から１３であるときには、プリンター１１が１ページ目から３３ページ目まで、プリンター１２が３４ページから６６ページまで、プリンター１３が６７ページから１００ページまでをそれぞれ２０部プリントを行うことになる。
【００４８】
このようにして決定されたプリンターと、プリントするモード、ページ等をリーダー部は各プリンタ一部に送信し（６１）、続いて画像を転送する（６２）。
【００４９】
また、操作部に読み込まれた原稿の出力がどのプリンターにおいて実行されているかを示すために、プリンターからのプリント状況を入手し表示する（６３、６４）。全部数出力すれば、指定されたジョブが終了する。
【００５０】
次にステップ７０〜７８からなるプリンター部のフローチャートを説明する。
【００５１】
まず、リーダー部より稼働状況の要求があった場合には（７１）、プリント状況を送信する（７２）。また、プリンターがプリント途中であるときには（７３）、プリントを行い（７７）、プリント経過をリーダー部に送信する。リーダー部はプリント状況を操作部に表示する。またプリント途中でないときには、プリントジョブの待ち状態となり（７４）、プリントジョブが発生した時にはジョブの内容をリーダー部より受信し（７５）、続いて画像データを受信する（７６）。このようにして受信した画像は、ジョブ内容に応じて、ステップ７７でプリントを行う。
【００５２】
＜データの補正＞
次に、本特許の特徴となる画像データの補正方法について述べる。
【００５３】
システムはサーバーを中心として多くのプリンターが接続されて構成されてる。各プリンターにおいて使用頻度、コンディション等が異なることが想定される。そのため、装置の個体差を制御することが必要である。
【００５４】
以下に、プリント画像の用紙に対する位置制御について説明する。
【００５５】
操作部において、図示しない画像調整キーを押すと、画像調整モードに入り、図１０（Ａ）の画面が表示される。次に画面中のＯＫキーを押すと、各プリンタ一においてテストプリントを行い、プリント中の表示を行う（Ｂ）。各プリンタ一に出力されたテストプリントを並べて、原稿読み取り装置におく。その後、画面（Ｃ）の読み込みキーを押下して、画像の読み込みを行い（Ｄ）、自動的に補正データを作成して補正終了となる（Ｅ）。その後はサーバーが、各プリンターへ画像を転送するときに補正データにより画像位置を補正して出力するので各プリンターは、補正データを意識する必要がない。
【００５６】
以下具休的な補正方法を説明する。
【００５７】
各プリンタ一にてプリントするテストプリントは図１１に示すような長方形のテスト画像である。
【００５８】
操作部からテストプリントのプリント命令をうけると、サーバーのＲＡＭ上にＣＰＵがＡ４サイズのメモリ領域に対して、内側５ｍｍのところに４画素、あるいは４ラインの幅の黒線のデータを形成し、各プリンターへ画像を転送している。各プリンターは転送された画像のプリントを行う。
【００５９】
プリントされた画像はステーションＡ，Ｂ，Ｃの順番に並べてリーダー部より読み込ませる。リーダー部より読み込まれた画像はステーションＡの画像メモリを介してサーバーに転送される。
【００６０】
サーバーはプリンターから転送された画像をライン（Ａ）とライン（Ｂ）でよみとり、画像の形成されている位置を算出する。
【００６１】
各プリンターごとのライン（Ａ）のデータを図１２に示す。図において山になっている部分が端部の黒線である。また、山の位置がずれているのは、各プリンターごとに、画像の形成されている位置がずれていることを示すものである。
【００６２】
ここで、図１３を用いて本画像形成装置の画像の位置の制御方法を説明する。
【００６３】
図１３において（Ａ）はＶＳＹＮＣ信号、ＨＳＹＮＣ信号、ＶＥＮＡＢＬＥ信号とＶＩＤＥＯ信号の関係を示し、（Ｂ）はＨＳＹＮＣ信号、ＨＥＮＡＢＬＥ信号とＶＩＤＥＯ信号の関係を示す。また、（Ｃ）はＣＬＫ信号、ＨＳＹＮＣ信号、ＨＥＮＡＢＬＥ信号とＶＩＤＥＯ信号の関係を示す。
【００６４】
すべて、サーバーからプリンターへ転送する同期信号とビデオ信号である。
【００６５】
まず、画像データをサーバーからプリンターへ転送するときには、（Ａ）のＶＳＹＮＣ信号をＨＳＹＮＣ信号の２区間幅分“ＬＯＷ”レベルにして転送の開始信号とする。ＶＤＥＬＡＹ時間後、画像の副走査方法の区間信号ＶＥＮＡＢＬＥが“ＬＯＷ”レベルになり、ＬＯＷレベルのとき有効画像データを出力する。ＬＯＷレベル中、画像の転送を行い、ＨＩＧＨレベルになって、画像転送が終了する。
【００６６】
また、主走査方向のタイミングは（Ｂ）のＨＳＹＮＣ信号がＬＯＷレベルになってからＨＤＥＬＡＹ時間後、ＨＥＮＡＢＬＥがＬＯＷレベルになり、有効画像データを出力する。ＬＯＷレベル中、画像転送を行う。詳しくは（Ｃ）のように、ＨＳＹＮＣ信号は４ＣＬＫ幅分ＬＯＷレベルとなり、主走査の同期信号を出力する。（Ｂ）で示したように、ＨＤＥＬＡＹ時間後、画像データの転送を開始する。このように、ＶＥＮＡＢＬＥ信号とＨＥＮＡＢＬＥ信号がＬＯＷ区間のときの画像データがプリンターのメモリに格納され、プリンターはそれを読み出して画像を形成している。
【００６７】
そのため、各プリンターで画像の形成位置を合わせるためには、ＶＥＮＡＢＬＥ信号、ＨＥＮＡＢＬＥ信号を、プリンターごとに変更し、画像の形成位置を調整する必要がある。
【００６８】
例えば、図１２において各プリンターＡ，Ｂ，Ｃが端部に対して、ズレ量Ａ，Ｂ，Ｃであるとすると、中心値（２番目の値）を基準とする。この場合はＣになる。したがって、プリンターＡはずれ量Ｃ−Ａ，プリンターＢはずれ量Ｂ−Ｃ、プリンターＣはずれ量なしとなる。
【００６９】
したがって、図１４にしめすように、画像データに対してＨＥＮＡＢＬＥ信号をずらすことにより、有効画像領域を広くしたり、狭くしたりすることが可能となる。
【００７０】
図１４は主走査方向の位置あわせを示したが、副走査方向への位置あわせについても、ライン（Ｂ）のデータからＶＥＮＡＢＬＥ信号を、各プリンターへの画像転送に合わせて変更するようにすればよい。
【００７１】
このようにして、各プリンターごとに得られた補正データは、サーバー上のＨＤに蓄積しておき、プリント時に蓄積された補正データから補正を行って、各プリンターへ画像転送を行うようにする。各プリンターはサーバーから転送された画像をプリントすればよい。したがって、画像の出力位置補正に関して、サーバーがデータを管理すればよく、接続されたプリンターは、出力位置補正について、意識する必要がない。
【００７２】
また、本実施形態では同一の性能をもつプリンターによりシステムを構成したが、サーバー上に常に補正データをもつようにしているので、性能のことなるプリンターによるシステムにも容易に応用することができる。
【００７３】
【発明の効果】
以上説明したように、本発明によれば、複数のプリンターが接続された画像形成システムにおける補正データの作成を行うようにしたので、システムとしての画像形成の品位を高くすることが可能である。
【図面の簡単な説明】
【図１】本発明の実施形態に係る画像形成システムの接続形態を示す図である。
【図２】本発明の実施形態におけるサーバー１００７の構成を示す図である。
【図３】本発明の実施形態に係るリーダー部１００１、プリンター部１０００、ソータ一部１００２の構成を示す図である。
【図４】実施形態に係るリーダー部１００１、プリンター部１０００の処理構成図である。
【図５】実施形態に係るプリンター部１００３、１００５、ソータ一部１００４、１００６の構成を示す図である。
【図６】実施形態に係るプリンター部１００３、１００５の処理構成を示す図である。
【図７】実施形態に係るリーダー部１００１、プリンター部１０００におけるビデオの処理を示すブロック図である。
【図８】実施形態に係るプリンター部１００３、１００５におけるビデオの処理を示すブロック図である。
【図９】実施形態に係るプリントジョブの流れを示すフローチャートである。
【図１０】実施形態における画像位置補正の操作を説明する図である。
【図１１】実施形態におけるテストプリントの例を示す図である。
【図１２】実施形態における、読み取られたデータの特性を説明する図である。
【図１３】実施形態における、サーバーからプリンターへの画像転送方法を説明する図である。
【図１４】実施形態における、画像位置調整を説明する図である。
【図１】
2004012694.tif 000003
【図２】
2004012694.tif 000004
【図３】
2004012694.tif 000005
【図４】
2004012694.tif 000006
【図５】
2004012694.tif 000007
【図６】
2004012694.tif 000008
【図７】
2004012694.tif 000009
【図８】
2004012694.tif 000010
【図９】
2004012694.tif 000011
【図１０】
2004012694.tif 000012
【図１１】
2004012694.tif 000013
【図１２】
2004012694.tif 000014
【図１３】
2004012694.tif 000015
【図１４】
2004012694.tif 000016